(57)【要約】【課題】遠隔操作できるカメラを提供する。【解決手段】手指のポーズ毎にカメラの動作内容を関連づけてメモリ４２に記憶するように構成した。そして、スルー画中の手指のポーズを認識して、メモリ４２に記憶されている手指のポーズと略一致すると判断されると、当該ポーズと関連づけられた動作内容をメモリ４２から読み込んで、読み込んだ内容の動作を実行するように構成した。したがって、ユーザが所定のポーズをかたどった手指を電子カメラ１の前にかざすだけで遠隔で電子カメラ１に所定の動作を行わせることができるので、簡単な手指のポーズで容易に電子カメラ１を操作できる。【選択図】図１
2010181968.tif 000002
【特許請求の範囲】
【請求項１】
被写体像を撮像する撮像手段と、
手や指によって形作られる所定のポーズを記憶するポーズ記憶手段と、
前記ポーズ記憶手段で記憶された手や指の所定のポーズと、カメラの所定の動作とを関連づけて記憶する関連づけ手段と、
前記撮像手段で撮像した被写体像の手や指の形状を認識する手指形状認識手段と、
前記手指形状認識手段で認識された被写体像の手や指の形状と、前記ポーズ記憶手段で記憶された所定のポーズとを比較照合するポーズ比較照合手段と、
前記手指形状認識手段で認識された被写体像の手指の形状が前記ポーズ記憶手段で記憶された所定のポーズと略一致すると前記ポーズ比較照合手段で判断されると、略一致すると判断された当該ポーズと関連づけて前記関連づけ手段で記憶されているカメラの所定の動作を行うようにカメラの各部を制御する制御手段とを備えることを特徴とするカメラ。
【請求項２】
請求項１に記載のカメラにおいて、
前記関連づけ手段は、前記ポーズ記憶手段で記憶された手や指の所定のポーズの組み合わせと、カメラの所定の動作とをさらに関連づけて記憶し、
前記ポーズ比較照合手段は、前記手指形状認識手段で認識された被写体像の手や指の形状の組み合わせと、前記ポーズ記憶手段で記憶された所定のポーズの組み合わせとをさらに比較照合し、
前記制御手段は、前記手指形状認識手段で認識された被写体像の手指の形状の組み合わせが前記ポーズ記憶手段で記憶された所定のポーズの組み合わせと略一致すると前記ポーズ比較照合手段で判断されると、略一致すると判断された当該ポーズの組み合わせと関連づけて前記関連づけ手段で記憶されているカメラの所定の動作を行うようにカメラの各部を制御することを特徴とするカメラ。
【請求項３】
請求項１または請求項２に記載のカメラにおいて、
前記制御手段は、前記関連づけ手段で関連づけて記憶された前記ポーズ記憶手段で記憶された手や指の所定のポーズと、カメラの所定の動作との対応関係をユーザの指示に基づいて表示装置に表示させることを特徴とするカメラ。
【請求項４】
請求項１〜３のいずれか一項に記載のカメラにおいて、
前記制御手段は、前記手指形状認識手段で認識された被写体像の手指の形状が前記ポーズ記憶手段で記憶された所定のポーズと略一致すると前記ポーズ比較照合手段で判断されると、略一致すると判断された当該ポーズと関連づけて前記関連づけ手段で記憶されているカメラの所定の動作について、当該動作を行うことについての可否を問う旨の表示を表示手段に表示させ、当該動作を行うことがユーザの指示によって許可されると、当該動作を行うようにカメラの各部を制御し、当該動作を行うことがユーザの指示によって禁止されると、当該動作を行わないようにカメラの各部を制御することを特徴とするカメラ。
【請求項５】
請求項１〜４のいずれか一項に記載のカメラにおいて、
前記関連づけ手段で記憶された手や指の所定のポーズとカメラの所定の動作の動作内容との関連づけを変更する動作内容変更手段をさらに備えることを特徴とするカメラ。
【請求項６】
請求項５に記載のカメラにおいて、
前記ポーズ記憶手段は、開いた指の本数に応じて異なる複数の手指のポーズを少なくとも記憶し、
前記関連づけ手段は、前記ポーズ記憶手段で記憶した、開いた指の本数に応じて異なる複数の手指のポーズ毎にカメラの所定の動作を関連づけて記憶し、
前記動作内容変更手段は、前記関連づけ手段で開いた指の本数に応じて異なる複数の手指のポーズ毎に関連づけて記憶されたカメラの所定の動作の動作内容を変更することを特徴とするカメラ。
【請求項７】
請求項１〜６のいずれか一項に記載のカメラにおいて、
前記関連づけ手段で関連づけて記憶されている前記カメラの所定の動作のうちの少なくとも１つは、レリーズ動作であることを特徴とするカメラ。
【請求項８】
請求項１〜７のいずれか一項に記載のカメラにおいて、
前記ポーズ比較照合手段は、前記手指形状認識手段で認識された被写体像の手や指の形状のうち、カメラ前方の所定距離以内の被写体像の手や指の形状だけを前記ポーズ記憶手段で記憶された所定のポーズとを比較照合することを特徴とするカメラ。
【発明の詳細な説明】
【技術分野】
【０００１】
本発明は、遠隔操作を行うことができるカメラに関する。
【背景技術】
【０００２】
被写体の動きを検出し、検出した被写体の動きに応じて所定の動作を行わせる撮像装置が知られている（特許文献１参照）。
【先行技術文献】
【特許文献】
【０００３】
【特許文献１】特開２００１−１１１８８１号公報
【発明の概要】
【発明が解決しようとする課題】
【０００４】
しかし、上述した特許文献に記載の撮像装置では、被写体の所定の動きを検出しなくてはならないため、被写体の動きを検出するための処理が複雑化して、処理速度の低下や動きの検出精度低下に起因する誤動作の恐れがある。
【課題を解決するための手段】
【０００５】
（１）  請求項１の発明によるカメラは、被写体像を撮像する撮像手段と、手や指によって形作られる所定のポーズを記憶するポーズ記憶手段と、ポーズ記憶手段で記憶された手や指の所定のポーズと、カメラの所定の動作とを関連づけて記憶する関連づけ手段と、撮像手段で撮像した被写体像の手や指の形状を認識する手指形状認識手段と、手指形状認識手段で認識された被写体像の手や指の形状と、ポーズ記憶手段で記憶された所定のポーズとを比較照合するポーズ比較照合手段と、手指形状認識手段で認識された被写体像の手指の形状がポーズ記憶手段で記憶された所定のポーズと略一致するとポーズ比較照合手段で判断されると、略一致すると判断された当該ポーズと関連づけて関連づけ手段で記憶されているカメラの所定の動作を行うようにカメラの各部を制御する制御手段とを備えることを特徴とする。
（２）  請求項２の発明は、請求項１に記載のカメラにおいて、関連づけ手段は、ポーズ記憶手段で記憶された手や指の所定のポーズの組み合わせと、カメラの所定の動作とをさらに関連づけて記憶し、ポーズ比較照合手段は、手指形状認識手段で認識された被写体像の手や指の形状の組み合わせと、ポーズ記憶手段で記憶された所定のポーズの組み合わせとをさらに比較照合し、制御手段は、手指形状認識手段で認識された被写体像の手指の形状の組み合わせがポーズ記憶手段で記憶された所定のポーズの組み合わせと略一致するとポーズ比較照合手段で判断されると、略一致すると判断された当該ポーズの組み合わせと関連づけて関連づけ手段で記憶されているカメラの所定の動作を行うようにカメラの各部を制御することを特徴とする。
（３）  請求項３の発明は、請求項１または請求項２に記載のカメラにおいて、制御手段は、関連づけ手段で関連づけて記憶されたポーズ記憶手段で記憶された手や指の所定のポーズと、カメラの所定の動作との対応関係をユーザの指示に基づいて表示装置に表示させることを特徴とする。
（４）  請求項４の発明は、請求項１〜３のいずれか一項に記載のカメラにおいて、制御手段は、手指形状認識手段で認識された被写体像の手指の形状がポーズ記憶手段で記憶された所定のポーズと略一致するとポーズ比較照合手段で判断されると、略一致すると判断された当該ポーズと関連づけて関連づけ手段で記憶されているカメラの所定の動作について、当該動作を行うことについての可否を問う旨の表示を表示手段に表示させ、当該動作を行うことがユーザの指示によって許可されると、当該動作を行うようにカメラの各部を制御し、当該動作を行うことがユーザの指示によって禁止されると、当該動作を行わないようにカメラの各部を制御することを特徴とする。
（５）  請求項５の発明は、請求項１〜４のいずれか一項に記載のカメラにおいて、関連づけ手段で記憶された手や指の所定のポーズとカメラの所定の動作の動作内容との関連づけを変更する動作内容変更手段をさらに備えることを特徴とする。
（６）  請求項６の発明は、請求項５に記載のカメラにおいて、ポーズ記憶手段は、開いた指の本数に応じて異なる複数の手指のポーズを少なくとも記憶し、関連づけ手段は、ポーズ記憶手段で記憶した、開いた指の本数に応じて異なる複数の手指のポーズ毎にカメラの所定の動作を関連づけて記憶し、動作内容変更手段は、関連づけ手段で開いた指の本数に応じて異なる複数の手指のポーズ毎に関連づけて記憶されたカメラの所定の動作の動作内容を変更することを特徴とする。
（７）  請求項７の発明は、請求項１〜６のいずれか一項に記載のカメラにおいて、関連づけ手段で関連づけて記憶されているカメラの所定の動作のうちの少なくとも１つは、レリーズ動作であることを特徴とする。
（８）  請求項８の発明は、請求項１〜７のいずれか一項に記載のカメラにおいて、ポーズ比較照合手段は、手指形状認識手段で認識された被写体像の手や指の形状のうち、カメラ前方の所定距離以内の被写体像の手や指の形状だけをポーズ記憶手段で記憶された所定のポーズとを比較照合することを特徴とする。
【発明の効果】
【０００６】
本発明によれば、誤動作を抑制できる。
【図面の簡単な説明】
【０００７】
【図１】本発明を適用した電子カメラ１の外観を示す図である。
【図２】電子カメラ１のブロック図である。
【図３】手や指のポーズとカメラの動作内容との関係を示す図である。
【図４】電子カメラ１で撮影を行う際のプログラムの処理内容を示すフローチャートである。
【図５】手指で形作ったポーズを電子カメラ１の撮像範囲内にかざした状態を示す図である。
【図６】表示装置１０７に表示される確認表示の例を示す図である。
【図７】承認のポーズの例を示す図である。
【図８】手や指のポーズの組み合わせと、カメラの動作内容との関係を示す図である。
【図９】ポーズ確認メニュー画面１８０を示す図である。
【図１０】手指のポーズとカメラの動作との関連づけを変更する際に表示装置１０７に表示される表示の例を示す図である。
【図１１】手指のポーズとカメラの動作との関連づけを変更する際に表示装置１０７に表示される表示の例を示す図である。
【図１２】カスタムモードの設定状態を表示する画面１９３を示す図である。
【図１３】変形例を示す図である。
【発明を実施するための形態】
【０００８】
図１〜１２を参照して、本発明によるカメラの一実施の形態を説明する。図1は、本発明を適用した電子カメラ１の外観を示す図であり、図１（ａ），（ｂ），（ｃ）は、それぞれ電子カメラ１を正面、上面、背面から見た図である。電子カメラ１のボディ１０の正面には、撮影レンズ用の窓部１０１と、被写体に光を照射する発光部１０２とが設けられている。電子カメラ１の上面には、レリーズボタン１０４、および、メインスイッチボタン１０５が設けられている。
【０００９】
ボディ１０の背面には、表示装置１０７、および操作部材２１が設けられている。操作部材２１は、ズームボタン２１０、モードボタン２１１、メニューボタン２１３、削除ボタン２１４、ロータリーセレクタ２１５、OKボタン２１６、および再生ボタン２１７などを含む。電子カメラ１の撮像光学系は、窓部１０１から入射した被写体光束を高さ方向に屈折させる屈折光学系として構成されている。
【００１０】
レリーズボタン１０４は、レリーズ操作を行うための操作ボタンである。メインスイッチボタン１０５は、電子カメラ１の電源をオン／オフするための操作ボタンである。表示装置１０７は、たとえば液晶表示装置（ＬＣＤ）などの表示装置である。表示装置１０７は、撮像して得られた画像や各種のメニュー画面を表示する表示モニタとして働くほか、撮像時に、被写体の画像（スルー画）を表示する電子ファインダとして働く。なお、スルー画（スルー画像、またはライブビュー画像とも呼ぶ）は、記憶媒体への記録用の画像を取得するための撮影（本撮影）の前段階として後述する撮像素子２５０で繰り返し撮像することで取得される予備撮影画像である。
【００１１】
ズームボタン２１０は、撮像光学系の焦点距離の変更操作を行うための操作ボタンであり、左右端の押圧操作が可能である。モードボタン２１１は、被写体像を撮像する撮影モードと、撮像して得た画像を表示装置１０７に表示させる再生モードとを切り替えるための操作ボタンである。メニューボタン２１３は、電子カメラ１の各種機能を選択、設定、調節するための各メニュー画面などを表示装置１０７に表示させる際に操作される操作ボタンである。削除ボタン２１４は、撮像して得た画像を消去する際に操作される操作ボタン（消去ボタン）である。
【００１２】
ロータリーセレクタ２１５は、時計方向および反時計方向に回動可能に構成された操作部材であり、たとえば、表示装置１０７に表示された項目の中から選択する項目を順次変更するためなどに用いられるものである。OKボタン２１６は、たとえば、ロータリーセレクタ２１５による選択操作で選択された項目を確定する際に操作される操作ボタンである。再生ボタン２１７は、撮像して得た画像を再生する際に操作される操作ボタンである。
【００１３】
図２は、電子カメラ１のブロック図である。制御回路４１は、マイクロコンピュータなどによって構成される。制御回路４１は、後述する各部から出力される信号を入力して所定の演算を行い、演算結果に基づく制御信号を各部へ出力する。制御回路４１と後述する各部とは互いに接続されている。
【００１４】
撮像素子２５０は、撮影レンズ３００を通過した被写体光による像を撮像し、撮像信号を画像処理部１２３へ出力する。画像処理部１２３は、Ａ／Ｄ変換回路やＡＳＩＣなどによって構成される。画像処理部１２３は、アナログ撮像信号をデジタル信号に変換して、デジタル変換後の画像データにホワイトバランス処理などの画像処理を行う。また画像処理部１２３は、画像処理後の画像データを所定の形式で圧縮する圧縮処理、圧縮された画像データを伸長する伸長処理などを行う。
【００１５】
レリーズスイッチ１４１は、レリーズボタン１０４に連動してレリーズ操作信号を制御回路４１に出力する。レリーズ操作信号には、レリーズボタンの半押し操作に対応する半押し操作信号と、半押し操作より深く押下される全押し操作に対応する全押し操作信号とがある。操作スイッチ１４３は、ボディ１０に設けられた操作部材２１が操作されると、それぞれ操作信号を制御回路４１に出力するスイッチ群である。メモリ４２は、制御プログラムやあらかじめ設定された各種設定値等を格納するＲＯＭおよび作業エリアのＲＡＭなどを含むメモリである。メモリ４２は、撮影モードなどの各種設定項目・設定モードの設定状態や、後述するポーズの形態やポーズと関連づけられたカメラの動作内容なども記憶する。
【００１６】
表示制御部１６１は、制御回路４１から出力される信号に基づいて、表示装置１０７の表示制御を行う制御部である。レンズ駆動制御部１６３は、制御回路４１から出力される信号に基づいて、合焦動作や焦点距離変更動作を行うようにレンズ駆動機構５２を制御する。また、レンズ駆動制御部１６３は、レンズ駆動機構５２が駆動した撮影レンズ３００のフォーカスレンズおよびズームレンズの位置の情報を制御回路４１に出力する。レンズ駆動機構５２は、レンズ駆動制御部１６３からの制御信号に基づいて、撮影レンズ３００のフォーカスレンズおよびズームレンズを光軸方向に進退駆動させる機構である。
【００１７】
記憶媒体装着部１６５は、不図示の記憶媒体を着脱可能に保持し、装着された記憶媒体に記録されたデータの読み込みや消去、記憶媒体へのデータの書き込みを行う。記憶媒体には、画像処理後の画像データが記録される。なお、絞り制御などについては本願発明に直接関係しないため記載を省略する。
【００１８】
近年のカメラは、カメラ自体が小さくなってきており、表示装置１０７の表示面の面積が大きくなっているため、操作ボタンなどを小さくせざるを得ず、操作がし難くなる傾向にある。表示装置１０７にタッチパネル式のスイッチを設けることも考えられるが、表示装置１０７の面積が大きくなっているとはいえ、カメラ自体が小さくなっているため、タッチパネル式の操作スイッチでは細かな操作がし難い。そこで、本実施の形態のカメラでは、スルー画中の手や指の形状を検出し、検出した形状が所定の形状と略一致すると、当該形状と関連づけられた所定の動作を行うように構成した。以下、詳述する。
【００１９】
−−−カメラの動作と手や指のポーズについて−−−
本実施の形態のカメラでは、たとえば図３に示すように、あらかじめ、手や指のポーズ毎にカメラの動作内容が関連づけられてメモリ４２に記憶されている。以下の説明では、手や指のポーズのことを単に手指のポーズ、またはポーズと呼ぶ。たとえば図３（ａ）に示すように、ズームアップ動作と、人差し指だけを開いて上に向け、手のひらを手前に向けた手指のポーズとが関連づけられてメモリ４２に記憶されている。同様に、ズームダウン動作と、人差し指だけを開いて下に向け、手のひらを手前に向けた手指のポーズとが関連づけられてメモリ４２に記憶されている。たとえば図３（ｂ）に示すように、複数あるフォーカスポイントの内の任意のポイントをフォーカスポイントして指定するカメラの動作（フォーカスポイント指定動作）と、人差し指だけを開いて手の甲を手前に向けた手指のポーズとが関連づけられてメモリ４２に記憶されている。なお、この手指のポーズが検出された場合、後述するように撮像範囲内における人差し指の位置に相当する位置がフォーカスポイントとして指定される。
【００２０】
たとえば図３（ｃ）に示すように、撮影時に発光装置を強制発光させるように設定するカメラの動作と、全ての指を広げて手のひらを手前に向けた手指のポーズとが関連づけられてメモリ４２に記憶されている。同様に、撮影時に発光装置の発光を禁止するように設定するカメラの動作と、全ての指を曲げて握りしめ、手のひらを手前に向けた手指のポーズとが関連づけられてメモリ４２に記憶されている。たとえば図３（ｄ）に示すように、露出をオーバー側に補正して設定するカメラの動作と、親指だけを立てて上方に向けて伸ばし、手のひらを手前に向けた手指のポーズとが関連づけられてメモリ４２に記憶されている。同様に、露出をアンダー側に補正して設定するカメラの動作と、親指だけを立てて下方に向けて伸ばし、手の甲を手前に向けた手指のポーズとが関連づけられてメモリ４２に記憶されている。
【００２１】
たとえば図３（ｅ）に示すように、シャッタレリーズを行うカメラの動作と、親指を縮めるように曲げ、残りの４本の指を略水平方向に伸ばして手のひらを手前に向けた手指のポーズとが関連づけられてメモリ４２に記憶されている。また、セルフタイマーの３秒経過後にシャッタレリーズを行うカメラの動作と、手のひらを手前に向けて人差し指、中指、薬指の３本の指を伸ばして数字の３を表す手指のポーズとが関連づけられてメモリ４２に記憶されている。なお、上述したカメラの動作、手指のポーズ、カメラの動作と手指のポーズとの関係は例示であって、本発明はこれに限定されるものではない。
【００２２】
−−−手指のポーズの認識とカメラの動作について−−−
このように構成される電子カメラ１の動作について、図４のフローチャートを参照して説明する。図４は、上述した電子カメラ１で撮影を行う際のプログラムの処理内容を示すフローチャートである。メインスイッチボタン１０５が操作されて電子カメラ１の電源がオンされると、この処理を行うプログラムが起動されて、制御回路４１で実行される。ステップＳ１において、撮像素子２５０で撮像して得られたスルー画を表示装置１０７に表示させてステップＳ３へ進む。
【００２３】
ステップＳ３において、レリーズボタン１０４が半押し操作されたか否か、すなわち、レリーズスイッチ１４１から半押し操作信号を受信したか否かを判断する。レリーズボタン１０４が半押し操作されなければ、すなわち、ステップＳ３が否定判断されるとステップＳ５へ進み、スルー画中の手指のポーズの認識をする処理を開始してステップＳ７へ進む。
【００２４】
ステップＳ７において、スルー画中の被写体像のうち、電子カメラ１の前方の所定距離（たとえば３０ｃｍ程度）の範囲内に手指のポーズがあるか否かを判断する。具体的には、制御回路４１は、認識できた手指のポーズに撮影レンズ３００のピントが合うように、たとえばコントラストＡＦによって撮影レンズ３００のフォーカスレンズを駆動した場合に、レンズ駆動制御部１６３から得られる撮影レンズ３００のフォーカスレンズの位置の情報などに基づいて、認識できた手指のポーズまでの距離を算出する。そして算出した距離とあらかじめメモリ４２に記憶されている所定の距離とを比較して、電子カメラ１の前方の所定距離の範囲内に手指のポーズがあるか否かを判断する。
【００２５】
このように、ステップＳ７では、スルー画中の手指のポーズのうち、所定距離内のポーズに限ってポーズの有無を判断しているが、これは、たとえば、カメラ操作の意図を有しない、電子カメラ１から離れた位置に存在する被写体の手指のポーズを誤って検出しないようにするためである。これにより、カメラ操作の意図を有する、電子カメラ１の近傍の撮影者（ユーザ）の手指のポーズを効率的に検出できる。なお、図５は、ユーザが電子カメラ１を右手で持ち、電子カメラ１の前方に人差し指と親指を伸ばした左手を差し出して電子カメラ１の撮像範囲内にかざした状態を示す図である。
【００２６】
スルー画中の被写体像のうち、電子カメラ１の前方の所定距離の範囲内に手指のポーズがないと判断されると、すなわち、図４のステップＳ７が否定判断されるとステップＳ１へ戻る。スルー画中の被写体像のうち、電子カメラ１の前方の所定距離の範囲内に手指のポーズがあると判断されると、すなわち、ステップＳ７が肯定判断されるとステップＳ９へ進み、手指のポーズがどのような形状のポーズであるかを判定してステップＳ１１へ進む。ステップＳ１１において、ステップＳ９で判定されたポーズが、カメラの動作内容と関連づけられてメモリ４２に記憶されているポーズのいずれかと略一致するか否か、すなわち、ステップＳ９で判定されたポーズに対応するポーズがメモリ４２に記憶されているか否かを判断する。
【００２７】
ステップＳ９で判定されたポーズが、カメラの動作内容と関連づけられてメモリ４２に記憶されているポーズのいずれとも一致しなかった場合、すなわち、ステップＳ１１が否定判断されるとステップＳ１へ戻る。ステップＳ９で判定されたポーズが、カメラの動作内容と関連づけられてメモリ４２に記憶されているポーズのいずれかと略一致した場合、すなわち、ステップＳ１１が肯定判断されるとステップＳ１３へ進み、ステップＳ１１で略一致すると判断されたポーズと関連づけられた動作内容をメモリ４２から読み込んでステップＳ１５へ進む。ステップＳ１５において、ステップＳ１３で読み込んだ内容の動作が、ユーザが意図している動作であるか否かを問い合わせる確認表示を表示装置１０７に表示させる。
【００２８】
図６（ａ），（ｂ）に、ステップＳ１５で表示装置１０７に表示される確認表示の例を示す。図６（ａ）は、ステップＳ９で判定されたポーズ（ステップＳ１１で略一致すると判断されたポーズ）が、図３（ｂ）で示すフォーカスポイントを指定するポーズであった場合の例であり、１７３ａはスルー画上のユーザの手である。図３（ｂ）で示すフォーカスポイントを指定するポーズを検出すると、制御回路４１は、ユーザが意図しているカメラの動作がフォーカスポイントの指定であるか否かを問い合わせる確認表示１７１ａを表示装置１０７に表示させる。
【００２９】
また、図３（ｂ）で示すフォーカスポイントを指定するポーズを検出すると、制御回路４１は、表示装置１０７にフォーカスポイントを示すマーク１７２ａ〜１７２ｅを表示装置１０７に表示させる。そして、制御回路４１は、表示装置１０７に表示される撮像範囲内における人差し指先端位置に相当する位置の近傍のフォーカスポイントを焦点検出の際に使用するフォーカスポイントとして仮に記憶する。フォーカスポイントの変更を意図するユーザは、フォーカスポイントとして設定したい位置に表示されているいずれかのマーク１７２ａ〜１７２ｅに人差し指の先端が位置するように、撮像範囲内で手を適宜移動させればよい。なお、図６（ａ）の例では、制御回路４１は、フォーカスポイントとして仮に記憶したフォーカスポイントのマーク１７２ｄを他のフォーカスポイントのマーク１７２ａ〜１７２ｃ，１７２ｅと区別できるようにたとえば強調的に表示させている。
【００３０】
図６（ｂ）は、ステップＳ９で判定されたポーズが、図３（ａ）で示すズームアップ操作を指示するポーズであった場合の例であり、１７３ｂはスルー画上のユーザの手である。図３（ａ）で示すズームアップ操作を指示するポーズを検出すると、制御回路４１は、ユーザが意図しているカメラの動作がズームアップ操作であるか否かを問い合わせる確認表示１７１ｂを表示装置１０７に表示させる。
【００３１】
ステップＳ１５の実行後、スルー画中に承認のポーズが所定時間内に検出されたか否かを判断する。承認のポーズは、図７に示すように、たとえば人差し指と親指とで輪を作り、その輪の手の甲側を手前側に向けた手指のポーズである。すなわち、ステップＳ１７において、スルー画中に承認のポーズが検出されたか否かを判断する。ステップＳ１７が否定判断されるとステップＳ２１へ進み、ステップＳ１５の実行後、所定の時間が経過したか否かを判断する。ステップＳ２１が否定判断されるとステップＳ１７へ戻る。
【００３２】
ステップＳ１５の実行後、スルー画中に承認のポーズが所定時間内に検出されたと判断されると、すなわちステップＳ１７が肯定判断されるとステップＳ１９へ進み、ステップＳ１３で読み込んだ動作内容を実行するよう各部を制御してステップＳ１へ戻る。たとえば、図６（ａ）に示すように、ステップＳ９で判定されたポーズが、図３（ｂ）で示すフォーカスポイントを指定するポーズであった場合、ステップＳ１９において、制御回路４１は、フォーカスポイントとして仮に記憶した、マーク１７２ｄに相当するフォーカスポイントを焦点検出の際に使用するフォーカスポイントとして設定する。たとえば、図６（ｂ）に示すように、ステップＳ９で判定されたポーズが、図３（ａ）で示すズームアップ操作を指示するポーズであった場合、ステップＳ１９において、制御回路４１は、ポーズが維持されている間（ポーズを検出している間）、焦点距離を増やし続けるようにレンズ駆動制御部１６３に制御信号を出力する。
【００３３】
ステップＳ１５の実行後、スルー画中に承認のポーズが所定時間内に検出されなかったと判断されると、すなわちステップＳ１７が否定判断され、ステップＳ２１が肯定判断されるとステップＳ１へ戻る。
【００３４】
レリーズボタン１０４が半押し操作されると、すなわち、ステップＳ３が肯定判断されるとステップＳ３１へ進み、レリーズボタン１０４が全押し操作されたか否か、すなわち、レリーズスイッチ１４１から全押し操作信号を受信したか否かを判断する。レリーズボタン１０４が全押し操作されなければ、すなわち、ステップＳ３１が否定判断されるとステップＳ１へ戻る。レリーズボタン１０４が全押し操作されると、すなわち、ステップＳ３１が肯定判断されるとステップＳ３３へ進み、公知の撮影動作、すなわち記憶媒体への記録用の画像を取得するための本撮影を行ってステップＳ１へ戻る。
【００３５】
なお、上述の説明では、手指のポーズは単一のポーズとカメラの所定の動作とを関連づけた例で説明したが、複数のポーズの組み合わせとカメラの所定の動作とを関連づけてもよい。すなわち、上述の説明では、１つの手指のポーズをカメラに対する１つの指示として関連づけた例で説明したが、複数のポーズを組み合わせたものをカメラに対する１つの指示として関連づけてもよい。たとえば、第１のポーズおよび第２のポーズの組み合わせとカメラの所定の動作とを関連づけてもよい。この場合、制御回路４１は、第１ポーズと第２ポーズの２つの手指のポーズが電子カメラ１の前方の所定距離内にあると認識すると、第１ポーズと第２ポーズとの組み合わせに関連づけられた所定の動作の内容をメモリ４２から読み込んで、当該所定の動作を実行する。
【００３６】
たとえば、図８（ａ）に示すように、親指のみを水平に伸ばし、手の甲を手前側に向けた手指のポーズと、人差し指だけを開いて上に向け、手のひらを手前に向けた手指のポーズとの組み合わせを、ポートレート撮影モードへの設定の指示に関連づけてもよい。たとえば、図８（ｂ）に示すように、親指のみを水平に伸ばし、手の甲を手前側に向けた手指のポーズと、人差し指だけを開いて横に向け、手のひらを手前に向けた手指のポーズとの組み合わせを、遠景撮影モードへの設定の指示に関連づけてもよい。たとえば、図８（ｃ）に示すように、親指のみを水平に伸ばし、手の甲を手前側に向けた手指のポーズと、人差し指だけを開いて下に向け、手のひらを手前に向けた手指のポーズとの組み合わせを、マクロ撮影モードへの設定の指示に関連づけてもよい。なお、上述したカメラの動作、手指のポーズの組み合わせ、カメラの動作と手指のポーズの組み合わせとの関係は例示であって、本発明はこれに限定されるものではない。また、手指のポーズの組み合わせは２つのポーズの組み合わせに限らず、３つ以上のポーズの組み合わせであっても良い。
【００３７】
−−−手指のポーズとカメラの動作との関連づけの確認−−−
本実施の形態の電子カメラ１では、メモリ４２に記憶されている、カメラの動作と手指のポーズとの関係や、カメラの動作と手指のポーズの組み合わせとの関係をユーザが容易に確認できるように、ポーズ確認メニューが設けられている。たとえばメニューボタン２１３の所定の操作によって操作スイッチ１４３から出力される信号に基づいて、ポーズ確認メニューの呼び出しが指示されたと判断すると、制御回路４１は、カメラの動作と手指のポーズとの関係や、カメラの動作と手指のポーズの組み合わせとの関係に関する情報をメモリ４２から読み込む。そして制御回路４１は、読み込んだ情報に基づいて、図９に示すように、ポーズ確認メニュー画面１８０を表示装置１０７に表示させる。
【００３８】
ポーズ確認メニュー画面１８０には、たとえば、カメラの動作内容としての「ズーム（ズームダウン）」を示す項目１８１ａと、当該動作に関連づけられた手指のポーズのサムネイル画像１８１ｂとが並べて表示されている。同様に、たとえば、他の動作内容である「フォーカスポイント指定」を示す項目１８２ａと、当該指定動作に関連づけられた手指のポーズのサムネイル画像１８２ｂとが並べて表示されている。たとえば、カメラの動作内容である「発光装置（強制発光）」を示す項目１８３ａと、当該発光モード設定動作に関連づけられた手指のポーズのサムネイル画像１８３ｂとが並べて表示されている。たとえば、カメラの動作内容である「露出（＋）」を示す項目１８４ａと、当該露出補正動作に関連づけられた手指のポーズのサムネイル画像１８４ｂとが並べて表示されている。
【００３９】
−−−手指のポーズとカメラの動作との関連づけの変更−−−
本実施の形態の電子カメラ１では、手指のポーズとカメラの動作との関連づけを変更できる。たとえば、電子カメラ１では、上述したようにポーズ確認メニュー画面１８０を呼び出して表示装置１０７に表示させた後、図９に示すように、変更する関連づけを適宜選択できるように構成されている。図９は、ポーズ確認メニュー画面１８０の一例として、項目１８２ａで示される動作内容である「フォーカスポイント指定」と、サムネイル画像１８２ｂで示される手指のポーズとの関連づけが変更対象として選択されている状態を示している。このポーズ確認メニュー画面１８０では、サムネイル画像１８２ｂの横に、手指のポーズとカメラの動作との関連づけの変更を指示するための表示１８２ｃが表示されている。たとえば、図９に示した状態でロータリーセレクタ２１５が操作されたことを示す操作信号を操作スイッチ１４３から受信すると、制御回路４１は、変更する関連づけの選択を順次変えて表示装置１０７に表示させる。
【００４０】
図９に示した状態で、たとえばOKボタン２１６が操作されたこと示す操作信号を操作スイッチ１４３から受信すると、制御回路４１は、項目１８２ａで示される動作内容である「フォーカスポイント指定」と、サムネイル画像１８２ｂで示される手指のポーズとの関連づけを変更対象として決定する。そして、制御回路４１は、図１０（ａ），（ｂ）に示すように、サムネイル画像１８２ｂで示される手指のポーズに対して動作内容を変更するのか（図１０（ａ））、項目１８２ａで示される動作内容である「フォーカスポイント指定」動作に対して手指のポーズを変更するのか（図１０（ｂ））をユーザに選択させるための画面１９０ａ，１９０ｂを表示装置１０７に表示させる。画面１９０ａと画面１９０ｂとの切り替えは、ロータリーセレクタ２１５の操作によって行われるものとする。すなわち、制御回路４１は、ロータリーセレクタ２１５が操作されたことを示す操作信号を操作スイッチ１４３から受信すると、ロータリーセレクタ２１５の操作量、操作方向に応じて、画面１９０ａと画面１９０ｂとを順次切り替えて表示装置１０７に表示させる。
【００４１】
図１０（ａ）に示す画面１９０ａが表示された状態でOKボタン２１６が操作されたこと示す操作信号を操作スイッチ１４３から受信すると、制御回路４１は、サムネイル画像１８２ｂで示される手指のポーズに対して動作内容を変更するための画面を表示装置１０７に表示させる（図１１（ａ））。図１１（ａ）に示す画面１９１ａには、サムネイル画像１８２ｂで示される手指のポーズに対して関連づける動作の選択を促す旨の表示１９２ａと、動作内容の項目（たとえば項目１８１ａ〜１８４ａ）とが表示される。画面１９１ａでは、サムネイル画像１８２ｂで示される手指のポーズに対して、項目１８２ａで示された「フォーカスポイント指定」動作が選択されている状態を示している。たとえば、図１１（ａ）に示した状態でロータリーセレクタ２１５が操作されたことを示す操作信号を操作スイッチ１４３から受信すると、制御回路４１は、選択される動作内容を示す項目を順次変えて表示装置１０７に表示させる。
【００４２】
たとえば、項目１８１ａが選択された状態で、OKボタン２１６が操作されたこと示す操作信号を操作スイッチ１４３から受信すると、制御回路４１は、サムネイル画像１８２ｂで示される手指のポーズと、項目１８１ａで示された動作（ズームダウン操作）とを関連づけてメモリ４２に記憶させる。また、たとえば、項目１８３ａが選択された状態で、OKボタン２１６が操作されたこと示す操作信号を操作スイッチ１４３から受信すると、制御回路４１は、サムネイル画像１８２ｂで示される手指のポーズと、項目１８３ａで示された動作（発光装置の発光モードを「強制発光」に設定）とを関連づけてメモリ４２に記憶させる。
【００４３】
図１０（ｂ）に示す画面１９０ｂが表示された状態でOKボタン２１６が操作されたこと示す操作信号を操作スイッチ１４３から受信すると、制御回路４１は、項目１８２ａで示された「フォーカスポイント指定」動作に対する手指のポーズを変更するための画面を表示装置１０７に表示させる（図１１（ｂ））。図１１（ｂ）に示す画面１９１ｂには、「フォーカスポイント指定」という動作に対して関連づける手指のポーズの選択を促す旨の表示１９２ｂと、手指のポーズのサムネイル画像（たとえばサムネイル画像１８１ｂ，１８２ｂ，１８３ｂ，１８４ｂ・・・）とが表示される。画面１９１ｂでは、「フォーカスポイント指定」という動作に対して、サムネイル画像１８２ｂが選択されている状態を示している。たとえば、図１１（ｂ）に示した状態でロータリーセレクタ２１５が操作されたことを示す操作信号を操作スイッチ１４３から受信すると、制御回路４１は、選択されるサムネイル画像を順次変えて表示装置１０７に表示させる。
【００４４】
たとえば、サムネイル画像１８１ｂが選択された状態で、OKボタン２１６が操作されたこと示す操作信号を操作スイッチ１４３から受信すると、制御回路４１は、サムネイル画像１８１ｂで示される手指のポーズと、「フォーカスポイント指定」という動作とを関連づけてメモリ４２に記憶させる。また、たとえば、サムネイル画像１８３ｂが選択された状態で、OKボタン２１６が操作されたこと示す操作信号を操作スイッチ１４３から受信すると、制御回路４１は、サムネイル画像１８３ｂで示される手指のポーズと、「フォーカスポイント指定」という動作とを関連づけてメモリ４２に記憶させる。
【００４５】
−−−新たなポーズの登録−−−
本実施の形態の電子カメラ１では、ユーザが形作った任意の手指のポーズを手指のポーズとして登録（記憶）し、カメラの動作と関連づけることができる。たとえば、手指のポーズの登録モードに設定された状態で電子カメラ１の前に差し出された任意の形状の手指が撮像されると、制御回路４１は、撮像して得られた画像から手指のポーズを抽出する。そして抽出した手指のポーズをカメラの動作と関連づけることができる手指のポーズとしてメモリ４２に記憶させる。
【００４６】
−−−カスタムモードの設定について−−−
本実施の形態の電子カメラ１では、たとえば、各種設定項目を任意に設定した状態を、１から５の各数字を表す手指のポーズのそれぞれに関連づけることができる。たとえばホワイトバランスを「太陽光」に設定し、たとえば発光装置の発光モードを「発光禁止」に設定し、たとえば焦点調節状態を「無限遠」に設定した状態と、数字の１を表す手指のポーズとを関連づけてメモリ４２に記憶させることができる。図１２は、たとえばホワイトバランスを「太陽光」に設定し、たとえば発光装置の発光モードを「発光禁止」に設定し、たとえば焦点調節状態を「オート」に設定した状態と、数字の２を表す手指のポーズとが関連づけて記憶されている場合において、その設定状態が表示装置１０７に表示された画面１９３を示している。図１２では、各種設定項目（たとえばホワイトバランス）の中で設定可能なパラメータ（たとえば、太陽光、蛍光灯、オート）が表示されるとともに、現在設定されているパラメータ（たとえば太陽光）が強調的に表示されている。
【００４７】
たとえば、数字の１を表す手指のポーズに対しては「カスタムモード１」として、各種設定項目を任意に設定して関連づけることができる。同様に、数字の２を表す手指のポーズに対しては「カスタムモード２」として、数字の３を表す手指のポーズに対しては「カスタムモード３」として、数字の４を表す手指のポーズに対しては「カスタムモード４」として、数字の５を表す手指のポーズに対しては「カスタムモード５」として、各種設定項目を任意に設定してそれぞれ関連づけることができる。
【００４８】
このようにカスタムモードの設定が行われている場合、制御回路４１は、上述した図４のステップＳ９で、たとえば、数字の２を表すポーズであると判定されると、各種設定項目を当該ポーズに関連づけられた設定状態に変更してよいか否かをステップＳ１５で問い合わせる。制御回路４１は、ステップＳ１７が肯定判断されると、ステップＳ１９において、各種設定項目を数字の２を表すポーズと関連づけられた設定状態とするように（たとえばホワイトバランスを「太陽光」に設定し、発光装置の発光モードを「発光禁止」に設定し、焦点調節状態を「オート」に設定するように）各部を制御する。
【００４９】
上述した電子カメラ１では、次の作用効果を奏する。
（１）  手指のポーズ毎にカメラの動作内容を関連づけてメモリ４２に記憶するように構成した。そして、スルー画中の手指のポーズを認識して、メモリ４２に記憶されている手指のポーズと略一致すると判断されると、当該ポーズと関連づけられた動作内容をメモリ４２から読み込んで、読み込んだ内容の動作を実行するように構成した。したがって、ユーザが所定のポーズをかたどった手指を電子カメラ１の前にかざすだけで遠隔で電子カメラ１に所定の動作を行わせることができるので、簡単な手指のポーズで容易に電子カメラ１を操作できる。また、各種モードの切り替え操作や設定メニューの階層を辿っていくなどの操作を省略して、ユーザの意図する動作を行わせることができるので、操作性が向上する。多機能化が進んでいる近年の電子カメラ（特に一眼レフタイプのような高機能のカメラ）では特に効果的である。
【００５０】
また、被写体の所定の動きを検出しなくてもよいので、被写体の動きを検出するための複雑な処理が不要となり、処理プログラムを単純化して開発コストを低減できる。処理プログラムを単純化できることで、ユーザが意図する動作がどのような動作であるのかを判定する処理速度を向上でき、処理のためにユーザを待たせてしまうことを減らすことができる。また、処理プログラムを単純化できることで手指のポーズを正しく認識する確率を向上でき、誤動作を抑制できる。
【００５１】
（２）  複数のポーズの組み合わせたものをカメラに対する１つの指示として関連づけてメモリ４２に記憶できるように構成した。これにより、単一のポーズとカメラの所定の動作とを関連づけた場合と比べて、より多くの電子カメラに対する指示をメモリ４２記憶できるので、電子カメラ１の様々な動作を遠隔で操作できるようになり、利便性が高い。
【００５２】
（３）  ポーズ確認メニュー画面１８０によって、カメラの動作と手指のポーズとの関係や、カメラの動作と手指のポーズの組み合わせとの関係をユーザが容易に確認できるように構成した。これにより、カメラの動作と手指のポーズとの関係や、カメラの動作と手指のポーズの組み合わせとの関係をユーザが忘れてしまっても、容易に思い出させることができる。また、カメラの動作内容を示す項目と、当該動作に関連づけられた手指のポーズのサムネイル画像とをポーズ確認メニュー画面１８０に表示するように構成したので、ユーザは、ポーズ確認メニュー画面１８０を視認するだけで、ユーザの意図する手指のポーズを容易に認識できる。
【００５３】
（４）  ユーザが意図している動作であるか否かを問い合わせる確認表示を表示装置１０７に表示させるように、すなわち、手指のポーズと関連づけられた動作内容を実行する前にユーザに問い合わせるように構成した。これにより、ユーザの意図しない動作が行われることを防止できる。
【００５４】
（５）  手指のポーズとカメラの動作との関連づけをユーザが変更できるように構成した。また、ユーザが形作った任意の手指のポーズを手指のポーズとして登録し、カメラの動作と関連づけることができるように構成した。これにより、ユーザにとって使い勝手が良いように手指のポーズとカメラの動作との関連づけを変更でき、利便性が高い。
【００５５】
（６）  各種設定項目を任意に設定した状態を、１から５の各数字を表す手指のポーズのそれぞれに関連づけることができるように構成した。これにより、電子カメラ１の各種設定項目をユーザの所望する設定状態を容易かつ迅速に設定できるので、利便性が高く、シャッターチャンスを逃すことを抑制できる。
【００５６】
（７）  ユーザが所定のポーズをかたどった手指を電子カメラ１の前にかざすだけで遠隔で電子カメラ１のシャッタレリーズを行わせることができるように構成した。これにより、ユーザが電子カメラ１に不要な外力を与えることなくシャッタレリーズが可能となるので、手ぶれを防止できる。
（８）  スルー画中の手指のポーズのうち、所定距離内のポーズに限ってポーズの有無を判断するように構成した。したがって、たとえば、被写体の人物がピースサインを作っても、このピースサインを数字の２を表す手指のポーズとして認識してユーザの意図しない動作が行われることを防止できる。
【００５７】
−−−変形例−−−
（１）  上述の説明では、手指のポーズは左手で形作ったものを例示しているが、右手であってもよい。この場合、同じポーズであれば右手と左手とを区別することなく同じ動作が行われるように構成してもよい。すなわち、たとえば左手で形作ったポーズを所定の動作を関連づけてメモリ４２に記憶させておくだけで、当該ポーズと同じポーズを右手で作って電子カメラ１の前にかざしても、左手で形作った当該ポーズを電子カメラ１の前にかざしたときと同じ動作を行うように構成してもよい。
【００５８】
また、これとは逆に、同じ形態のポーズであっても、右手で形作ったポーズに関連づける動作と、左手で形作ったポーズに関連づける動作とを異ならせてメモリ４２に記憶させるように構成しても良い。
【００５９】
（２）  上述の説明では、あらかじめ、手指のポーズ毎にカメラの動作内容が関連づけられてメモリ４２に記憶されているように、すなわち、電子カメラ１の出荷段階ですでに手指のポーズ毎にカメラの動作内容が関連づけられてメモリ４２に記憶されているように構成したが、本発明はこれに限定されない。たとえば、電子カメラ１の出荷段階では、手指のポーズとカメラの動作内容とが関連づけられておらず、ユーザが電子カメラ１を入手した後、ユーザが適宜手指のポーズ毎にカメラの動作内容を関連づけてメモリ４２に記憶させるように構成してもよい。
【００６０】
（３）  上述の説明では、図４のステップＳ１１において、ステップＳ９で判定されたポーズが、カメラの動作内容と関連づけられてメモリ４２に記憶されているポーズのいずれとも一致しなかった場合にはステップＳ１へ戻るように構成しているが、本発明はこれに限定されない。たとえば、図４のステップＳ１１において、ステップＳ９で判定されたポーズが、カメラの動作内容と関連づけられてメモリ４２に記憶されているポーズのいずれとも一致しなかった場合には、ステップＳ１へ戻る前に、ユーザの手指のポーズが登録されていない旨を表示装置１０７に表示するなど、ユーザに報知するように構成してもよい。
【００６１】
（４）  上述の説明では、手指の動きを検出することなく、手指のポーズだけを認識するように構成しているが、本発明はこれに限定されない。たとえば、単純な手の動きであれば、手の動きも併せて検出するように構成してもよい。そして、手指のポーズおよび手の動きの組み合わせと、カメラの動作内容を関連づけるように構成してもよい。一例として、たとえば図１３に示すように、シャッタレリーズを行うカメラの動作と、親指を縮めるように曲げ、残りの４本の指を略水平方向に伸ばして手のひらを手前に向けた手指を下方に移動させる動作とが関連づけられてメモリ４２に記憶されるようにしてもよい。
【００６２】
（５）  上述の説明では、手指のポーズと関連づけられた動作内容を実行する前にユーザに問い合わせるように構成したが、本発明はこれに限定されない。たとえば、ユーザに問い合わせることなく、手指のポーズと関連づけられた動作内容を実行するように構成してもよい。
【００６３】
（６）  上述の説明では、図４のステップＳ１５の実行後、スルー画中で承認のポーズが所定時間内に検出されなかったと判断されると、すなわちユーザが所定時間内に承認のポーズを電子カメラ１の前にかざさなかった場合には、ステップＳ１３で読み込んだ動作内容の実行が承認されなかったものとしてステップＳ１へ戻るように構成しているが、本発明はこれに限定されない。たとえば、承認しない旨を指示するためのポーズ（却下ポーズ）をあらかじめ登録しておき、図４のステップＳ１５の実行後、スルー画中で却下ポーズが所定時間内に検出されたと判断されたときに、ステップＳ１３で読み込んだ動作内容の実行が承認されなかったものとしてステップＳ１へ戻るように構成してもよい。
（７）  上述した各実施の形態および変形例は、それぞれ組み合わせてもよい。
【００６４】
なお、本発明は、上述した実施の形態のものに何ら限定されず、被写体像を撮像する撮像手段と、手や指によって形作られる所定のポーズを記憶するポーズ記憶手段と、ポーズ記憶手段で記憶された手や指の所定のポーズと、カメラの所定の動作とを関連づけて記憶する関連づけ手段と、撮像手段で撮像した被写体像の手や指の形状を認識する手指形状認識手段と、手指形状認識手段で認識された被写体像の手や指の形状と、ポーズ記憶手段で記憶された所定のポーズとを比較照合するポーズ比較照合手段と、手指形状認識手段で認識された被写体像の手指の形状がポーズ記憶手段で記憶された所定のポーズと略一致するとポーズ比較照合手段で判断されると、略一致すると判断された当該ポーズと関連づけて関連づけ手段で記憶されているカメラの所定の動作を行うようにカメラの各部を制御する制御手段とを備えることを特徴とする各種構造のカメラを含むものである。
【符号の説明】
【００６５】
１  電子カメラ                        ４１  制御回路
４２  メモリ                          １０７  表示装置
２５０  撮像素子
【図１】
2010181968.tif 000003
【図２】
2010181968.tif 000004
【図３】
2010181968.tif 000005
【図４】
2010181968.tif 000006
【図５】
2010181968.tif 000007
【図６】
2010181968.tif 000008
【図７】
2010181968.tif 000009
【図８】
2010181968.tif 000010
【図９】
2010181968.tif 000011
【図１０】
2010181968.tif 000012
【図１１】
2010181968.tif 000013
【図１２】
2010181968.tif 000014
【図１３】
2010181968.tif 000015